(57)【要約】【課題】保守作業における安全の対象機器毎にセンサーや照明装置の設置を必要とせず、安全作業を確保できるエレベーター保守作業時の照明装置の提供。【解決手段】エレベーターのピット６Ａ及びかご上及び機械室２に設置される機器９，１０，１に着脱自在に取り付けられ、所定範囲内の物体の動きを検出して照明を点灯するセンサーライト１４と、このセンサーライト１４を要部機器に取り付けるクリップ部１５とを備えた構成とした。【選択図】図１
2008019039.tif 000002
【特許請求の範囲】
【請求項１】
エレベーターの昇降路底部であるピットに設けられ、かごと主ロープを介して接続される釣合い錘が所定位置に降下したことを検出するセンサーと、このセンサーの検出信号で点灯する照明装置を備え、前記ピットにおける安全を確保するエレベーター保守作業時の照明装置において、
エレベーターのピット及びかご上及び機械室に設置される機器に着脱自在に取り付けられ、所定範囲内の物体の動きを検出して照明を点灯するセンサーライトと、このセンサーライトを要部機器に取り付けるクリップ部とを備えたことを特徴とするエレベーター保守作業時の照明装置。
【発明の詳細な説明】
【技術分野】
【０００１】
本発明はエレベーター保守作業時の照明装置に係り、特に、作業中の安全の確保に好適なエレベーター保守作業時の照明装置に関する。
【背景技術】
【０００２】
作業者がエレベーターの昇降路の底部であるピットで作業する際、かごとロープを介して接続される釣合い錘の降下に気付かず大怪我をする事故を防止するために、従来、特開平７−２６７５３０号公報にエレベーターの保守作業を行なう作業者の安全を確保するものとして、釣合い錘が降下して最下点に接近したことを検出するセンサーを設け、このセンサーの検出信号で照明を点灯させて釣合い錘の接近を知らせる技術が記載されている（例えば、特許文献１参照）。
【特許文献１】特開平７−２６７５３０号公報（段落番号０００６〜段落番号０００８、図１、図２）
【発明の開示】
【発明が解決しようとする課題】
【０００３】
上記従来技術は、エレベーターの保守作業での事故を防止するために、作業対象部位にセンサーを取り付けるとともに、センサーの検出信号で点灯する照明装置を予め設置する必要があり、取り付けに要する作業や費用が掛るという問題があった。
【０００４】
本発明の目的は、保守作業における安全の対象機器毎にセンサーや照明装置の設置を必要とせず、安全作業を確保できるエレベーター保守作業時の照明装置を提供することにある。
【課題を解決するための手段】
【０００５】
上記目的を達成するために、本発明は、エレベーターの昇降路底部であるピットに設けられ、かごと主ロープを介して接続される釣合い錘が所定位置に降下したことを検出するセンサーと、このセンサーの検出信号で点灯する照明装置を備え、前記ピットにおける安全を確保するエレベーター保守作業時の照明装置において、エレベーターのピット及びかご上及び機械室に設置される機器に着脱自在に取り付けられ、所定範囲内の物体の動きを検出して照明を点灯するセンサーライトと、このセンサーライトを要部機器に取り付けるクリップ部とを備えたものである。
【発明の効果】
【０００６】
本発明によれば、対象の保守作業を行なうとき、対象機器が所定範囲に接近してきたことを検出し、照明を点灯させるセンサーライトを、対象機器に向けてクリップ部で取り付けるようにしたので、センサーや照明装置を対象作業毎に設置する必要がないので、費用が掛らない。また、対象の保守作業にセンサーライトを取り付けることで、作業に危険を伴うことを作業前に認識でき、安全作業の意識付けが図れる。
【発明を実施するための最良の形態】
【０００７】
以下、本発明を実施するための最良の形態を図１、図２を用いて説明する。
【０００８】
図１は本発明の一実施形態を示すエレベーター保守作業時の照明装置の構成図で、図２は本発明の一実施形態のエレベーター保守作業時の照明装置を用いた保守作業を説明するフローチャートである。
【０００９】
図において、エレベーター乗りかごを運転させる制御装置を収納したエレベーター制御盤１は機械室２に設置され、かご３及び釣合い錘４はと主ロープ５で接続され、主ロープ５が巻き掛けられる図示しない巻上機の回転によって、昇降路６をそれぞれ上下に移動する。
【００１０】
また、昇降路６の底部であるピット６Ａには、検出した地震の揺れが所定値以上のとき信号を複数の芯線で構成される昇降路ケーブル７を介してエレベーター制御盤１の制御回路に地震管制運転を指令する地震計８や、釣合い錘４の直下に緩衝機９等が設置され、昇降路ケーブル７を介してピット６ＡにＡＣ１００Ｖの図示しないピットコンセントを設けている。
【００１１】
また、かご３の上にはかご上手摺１０が出入口以外の三方に設けられ、かご上作業における作業者の安全を図っており、エレベーター制御盤１から複数の芯線で構成される移動ケーブル１１及びかご３に設けられる運転盤１２を介し、ＡＣ１００Ｖの図示しないかご上コンセントが設置されており、運転盤１２に設けられ、通常は施錠されているボックス内の図示しない保守スイッチを投入すると、かご３の下部に設けたかご下照明１３やかご上に設けた図示しないかご上照明が点灯する。
【００１２】
また、機械室２の扉２Ａの横には機械室の照明スイッチ２Ｂが設けられ、照明スイッチ２Ｂの投入で機械室天井にもうけた照明装置２Ｃが点灯する。ここで、機械室２のエレベーター制御盤１の上部には、周囲の照度が所定以下となり、移動する物体が所定範囲に存在することを検出して所定時間照明を点灯させるセンサーライト１４がクリップ１５にて着脱自在に設けられており、ＡＣ１００Ｖの図示しない機械室コンセントに接続されている。
【００１３】
このように構成した一実施形態を示すエレベーター保守作業時の照明装置の動作の説明を行なう。
【００１４】
まず、保守作業におけるかご上の作業を説明する。
【００１５】
作業者は、センサーライト１４のクリップ１５をエレベーター制御盤１の上部から外すとともに、図示しない機械室コンセントから図示しないプラグを外し、センサーライト１４を持って乗場１６へ向かい（ステップＳ１）、かご３を呼び寄せてかご３に乗り込み（ステップＳ２）、運転盤１２を所定の鍵で開き図示しない保守スイッチを投入する（ステップＳ３）。保守モードに切替えると図示しないかご上照明の点灯（ステップＳ４）及びかご下照明１３の点灯（ステップＳ５）がされる。
【００１６】
次に、作業者はかご上に乗り（ステップＳ６）、かご上手摺１０にセンサーライト１４を上方に向けてクリップ１５で挟み込むとともに、図示しないかご上コンセントにプラグを挿入し（ステップＳ７）、準備作業は完了である。
【００１７】
次に、かご３を保守運転で動かしかご３が昇降路頂部６Ｂに近づき所定の距離となると（ステップＳ８）、センサーライトが点灯し（ステップＳ９）、かご上の作業者に昇降路頂部６Ｂが接近し上部注意を知らしめる。ここで、センサーライト１４は点灯してから所定時間が経過すると（ステップＳ１０）消灯し（ステップＳ１１）、ステップＳ８に戻る。
【００１８】
また、かご上作業が終了すると（ステップＳ１２）、センサーライト１４をかご上手摺１０及び図示しないかご上コンセントから取り外し（ステップＳ１３）、かご上から降りる。
【００１９】
次に、ピット６Ｂでの作業の場合、かご３を走行させるときは安全のため作業者はピット６Ｂから出ることとなるが、緩衝機９と釣合い錘４の距離を測定して主ロープ５の伸びを計測する際の、センサーライト１４の使い方を説明する。
【００２０】
まず、作業者がピット６Ｂに降りて（ステップＳ１４）、緩衝機９の上部にセンサーライト１４を上方に向けてクリップ１５で挟み込むとともに、図示しないピットコンセントにプラグを挿入し（ステップＳ１５）、ピット６Ｂを出て乗場１６で待機し、他の作業者がかご３を高速運転で最上階まで運転すると、釣合い錘４の接近（ステップＳ８）でセンサーライト１４が点灯する（ステップＳ９）。ここで、他の作業者からエレベーターを停止してピット６Ｂに安全に降りられることを確認し、ピット６Ｂに降りて緩衝機９と釣合い錘４の距離を測定するとき、センサーライト１４が点灯しているので、懐中電灯を使用せずとも値を読むことができる。
【００２１】
次に、機械室２のエレベーター制御盤１の上方にセンサーライト１４を取り付けて全ての保守作業は完了するが、エレベーター制御盤１にセンサーライト１４を取り付けたことで、作業者が機械室２の扉２Ａを開けたとき、センサーライト１４が点灯するので、照明装置２Ｃを点灯する照明スイッチ２Ｂの位置を容易に確認することができる。また、照明装置２Ｃを消しても所定時間センサーライト１４が点灯しているので、照明スイッチ２Ｂが扉２Ａと離れた位置に設置されていても、機械室２を安全に歩行することができる。
【図面の簡単な説明】
【００２２】
【図１】本発明の一実施形態を示すエレベーター保守作業時の照明装置の構成図である。
【図２】本発明の一実施形態のエレベーター保守作業時の照明装置を用いた保守作業を説明するフローチャートである。
【符号の説明】
【００２３】
１    エレベーター制御盤
２    機械室
３    かご
４    釣合い錘
６    昇降路
６Ａ  ピット
６Ｂ  昇降路頂部
９    緩衝機
１０  かご上手摺
１３  かご下照明
１４  センサーライト
１５  クリップ
【図１】
2008019039.tif 000003
【図２】
2008019039.tif 000004